(57)【要約】【解決手段】  足の指の陥入爪を矯正するデバイスを提供する。当該デバイスは、ベース（１０１、２０１、３０１）を備える。ベース上には、ベース（１０１、２０１、３０１）に対して前記足の指を固定する手段（１１１、１１２、２１１、２１２、３１１）と、ベース（１０１、２０１、３０１）に向かって爪の中央部分を押圧する手段（１２１、２２１、３２１）と、爪の側方エッジにおいて操作する摺動旋回可能手段（１３１、１３２、２３１、２３２、３３１）と、爪の前方部分において操作する摺動旋回可能手段（１４１、２４１、２４２、３４１）とが設けられている。【選択図】  図５
2014531950.tif 000002
【特許請求の範囲】
【請求項１】
足の指の爪の陥入爪を矯正するデバイスであって、
ベースを備え、
前記ベース上には、
前記ベースに対して前記足の指を固定する手段と、
前記爪の中央部分を前記ベースに向かって押圧する手段と、
前記爪の側方エッジにおいて操作する摺動旋回可能手段と、
前記爪の前方部分において操作する摺動旋回可能手段と
が設けられているデバイス。
【請求項２】
前記ベース上に設けられている２つの対向する支持部を備え、
前記２つの対向する支持部のうち第１の支持部には、前記足の指を押圧する２つのネジ、および、前記爪の前記側方エッジにおいて操作する２つの摺動旋回可能ツールが設けられており、
前記２つのネジおよび前記２つの摺動旋回可能ツールは、前記爪を押圧するレバーに対して対称になるように配置されており、
前記２つの対向する支持部のうち第２の支持部は、前記爪の前方部分において操作する旋回摺動可能ツールを有する請求項１に記載のデバイス。
【請求項３】
前記爪を押圧するための前記レバーは、前記第１の支持部に旋回可能に設けられており、前記押圧する力は、前記爪への前記押圧を制御するネジによって調整可能である請求項２に記載のデバイス。
【請求項４】
前記爪の前記側方エッジにおいて操作する前記摺動旋回可能手段は、固定ネジによって締め付け可能な球体形状の結合部に保持されている請求項２または３に記載のデバイス。
【請求項５】
前記爪の前記前方部分において操作する前記摺動旋回可能手段は、固定ネジによって締め付け可能な球体形状の結合部に保持されている請求項１から４の何れか１項に記載のデバイス。
【請求項６】
前記第２の支持部は、ネジによって結合される２つの部品を有する請求項２から４の何れか１項に記載のデバイス。
【請求項７】
前記足の指を固定する手段と、前記足の指との間には、弾性パッドが配置されている請求項１から６の何れか１項に記載のデバイス。
【請求項８】
前記第２の支持部には、固定ネジによって締め付け可能な球体形状の結合部に摺動可能且つ旋回可能に、前記爪の前方を持ち上げるための２つのヘラが配置されている請求項２から４の何れか１項に記載のデバイス。
【請求項９】
前記爪の前記中央部分を前記ベースに向かって押圧する前記手段は、前記第１の支持部において、ネジによって固定される球体形状の結合部に設けられているレバーの形状を持つ請求項２から４の何れか１項に記載のデバイス。
【請求項１０】
前記ベースは、足の支持部を形成するプレートに設けられている請求項１から９の何れか１項に記載のデバイス。
【請求項１１】
前記ベースに沿って、前記プレートの溝に配置される突起が形成されている請求項１０に記載のデバイス。
【請求項１２】
前記足の指を固定する前記手段は、前記足の指を前記ベースに向かって押圧するネジの形状を持つ請求項１から１１の何れか１項に記載のデバイス。
【請求項１３】
前記爪の前記側方エッジにおいて操作する前記摺動旋回可能手段は、前記爪の前記側方エッジを持ち上げるフックの形状を持つ
請求項１から１２の何れか１項に記載のデバイス。
【請求項１４】
前記爪の前記側方エッジにおいて操作する前記摺動旋回可能手段は、側爪郭の皮膚から離れるように屈曲させる屈曲ヘラの形状を持つ請求項１から１３の何れか１項に記載のデバイス。
【請求項１５】
前記爪の前記前方部分において操作する前記摺動旋回可能手段は、前記爪の前方エッジを持ち上げるヘラの形状を持つ請求項１から１４の何れか１項に記載のデバイス。
【請求項１６】
前記爪の前記中央部分を前記ベースに向かって押圧する前記手段は、レバーの形状を持つ請求項１から１５の何れか１項に記載のデバイス。
【請求項１７】
陥入爪を矯正するデバイスを用いて足の指の爪の陥入爪を美容矯正する方法であって、
前記デバイスは、
ベースに対して前記足の指を固定する手段と、
前記ベースに向かって前記爪の中央部分を押圧する手段と、
前記爪の側方エッジにおいて操作する摺動旋回可能手段と、
前記爪の前方部分において操作する摺動旋回可能手段と
を備え、
前記足の指を固定し、
前記爪の前記中央部分を前記ベースに向かって押圧し、
前記爪および爪郭の皮膚の少なくとも一方を所望の形状に整形し、
前記爪を硬化性材料の層でコーティングし、
前記硬化性材料を硬化させ、
前記足の指を前記デバイスから取り外す、方法。
【発明の詳細な説明】
【技術分野】
【０００１】
本発明は、足の陥入爪を矯正するツールおよび足の陥入爪を美容矯正する方法に関する。
【背景技術】
【０００２】
足の陥入爪、特に、足の指の陥入爪を矯正するさまざまなデバイスおよび方法が知られている。
【０００３】
中国実用新案登録第２００８２０１２４９４Ｕ号は、所定の長さのスチールワイヤで形成されている陥入爪ダブルフック矯正デバイスを示している。スチールワイヤの両端にはそれぞれ、陥入爪フックが設けられており、当該矯正デバイスの前端部には２つの陥入爪フックが配置されており、これら２つの陥入爪フックは互いに横方向に並ぶように配置されている。矯正デバイスの後端部は、閉タイプの直線ラインまたは閉タイプの円弧形状のラインである。
【０００４】
一方、独国特許出願第４２０７７９７号から公知の足の指の陥入爪を矯正するデバイスは、２本の短いワイヤで構成される。各ワイヤは、各端部がフック形状になっている。ワイヤは爪の表面に配置され、各ワイヤのフック形状の端部のうち１つが、足の指の爪の片側のエッジの下方に収まる。この後、第３のワイヤまたはプラスチック製の糸を用いて２本のワイヤを互いに対して締める。この第３のワイヤまたは糸は、２本のワイヤの自由端においてフックの周囲を通ると同時に、足の指の爪に自由端を固定する。
【０００５】
当該独国特許出願から公知の足の陥入爪を矯正する器具は、足の指の爪の表面に載置する部品を含む。材料として、ニッケル−チタン合金を利用することができる。これに代えて、当該部品は、ワイヤまたは長尺状部材で形成することもできる。当該部品は、爪に固定される保持部であって、爪に対して矯正方向に作用する矯正部を固定する保持部を含むとしてよい。
【０００６】
足の指の陥入爪を矯正するデバイスとしてさらに、日本国特開２０１０−１７２６８７号公報から公知のものがある。当該デバイスは、陥入爪を矯正して略平坦な爪形状にするべく、陥入爪によって湾曲形状に変形された爪縁部まで摺動する平坦形成部と、さらに矯正作用部材を摺動させて、平坦形成部によって略平坦化された陥入爪を間隙に入れた後、陥入爪を固定することによって、矯正作用を実現する矯正作用部とを備える。
【０００７】
仏国特許出願第２６３９２１９号は、爪の変形を矯正するデバイスを開示している。当該デバイスは、支持機能を持つべく調整可能に取り付けられるＴ字形状部材を含む。当該Ｔ字形状部材は、湾曲したアームを持ち、当該アームには矯正部材が取り外し可能に設けられる。矯正部材の各部分は、溝を形成するように内向きに屈曲され、２つの部材が爪の両側方エッジにわたって固定され得る。
【０００８】
米国特許第１９１７７９４号は、指先および爪の整形器具を提示している。当該器具は、内側端部が開口しており、外側端部が円弧形状に湾曲した壁部で閉じている管状の指先整形部、この管状部材を指先に取り付けるべくこの管状部材が担持している湾曲スプリングアーム、および、湾曲スプリングアームが支持している爪整形部を備える。
【０００９】
上述したデバイスは、爪に取り付けて、長期間、通常は数週間にわたって足の指の上に載置される構成を持つ。これは、ユーザにとって支障が大きく不快である。
【００１０】
爪をより短期間で容易に矯正可能な、陥入爪を美容矯正するデバイスおよび方法を提供することが有益である。
【発明の概要】
【発明が解決しようとする課題】
【００１１】
本発明は、足の陥入爪を矯正するデバイスを提供することを目的とする。当該デバイスは、ベースを備える。当該ベース上には、当該ベースに対して足の指を固定する手段と、爪の中央部分をベースに向かって押圧する手段と、爪の側方エッジにおいて操作する摺動旋回可能手段と、爪の前方部分において操作する摺動旋回可能手段とが設けられている。
【課題を解決するための手段】
【００１２】
当該デバイスは、ベース上に２つの対向する支持部が設けられていることが好ましい。第１の支持部上には、足の指を押圧する２つのネジと、爪の側方エッジで操作する２つの摺動旋回可能ツールとが設けられている。２つのネジおよび２つの摺動旋回可能ツールは、爪を押圧するレバーに対して対称になるように配置されている。第２の支持部は、爪の前方部分で操作する摺動旋回可能ツールを有する。
【００１３】
好ましくは、爪を押圧するレバーは、第１の支持部に旋回可能に設けられ、押圧力は、爪の押圧を制御するネジによって調整可能とする。
【００１４】
好ましくは、爪の側方エッジにおいて操作する手段は、固定ネジによって締め付け可能な球体形状の接合部において、保持されている。
【００１５】
好ましくは、爪の前方部分で操作するな手段は、固定ネジによって締め付け可能な球体形状の接合部において、保持されている。
【００１６】
好ましくは、第２の支持部は、ネジによって結合される２つの部分を含む。
【００１７】
好ましくは、足の指を固定する手段と足の指との間には、弾性パッドが配置されている。
【００１８】
好ましくは、第２の支持部には、摺動可能且つ旋回可能に、固定ネジによって締め付け可能な球体形状の結合部において、爪の前方を持ち上げるための２つのヘラが配置されている。
【００１９】
好ましくは、爪の中央部分をベースに向かって押圧する手段は、レバーの形状を持ち、ネジによって固定される球体形状の結合部において、第１の支持部に設けられている。
【００２０】
好ましくは、ベースは、足に対する支持部を形成するプレートに設けられている。
【００２１】
好ましくは、ベースに沿って、プレートの溝に配置されるように構成されている突起が形成されている。
【００２２】
好ましくは、足の指を固定する手段は、足の指をベースに向かって押圧するネジの形状を持つ。
【００２３】
好ましくは、爪の側方エッジにおいて操作する手段は、爪の側方エッジを持ち上げるフックの形状を持つ。
【００２４】
好ましくは、爪の側方エッジにおいて操作する手段は、側爪郭の皮膚から離れるように屈曲させる屈曲ヘラの形状を持つ。
【００２５】
好ましくは、爪の前方部分において操作する手段は、爪の前方エッジを持ち上げるヘラの形状を持つ。
【００２６】
好ましくは、爪の中央部分をベースに向かって押圧する手段は、レバーの形状を持つ。
【００２７】
本発明は、陥入爪を矯正するデバイスを用いて足の陥入爪を美容矯正する方法を提供することを別の目的とする。当該デバイスは、ベースに対して足の指を固定する手段と、爪の中央部分をベースに向かって押圧する手段と、爪の側方エッジにおいて操作する摺動旋回可能手段と、爪の前方部分において操作する摺動旋回可能手段とを備え、足の指を固定し、爪の中央部分をベースに向かって押圧して、爪および／または爪郭の皮膚を所望の形状に整形し、爪を硬化性材料の層でコーティングし、硬化性材料を硬化させて、足の指を当該デバイスから取り外す。
【図面の簡単な説明】
【００２８】
【図１】第１の実施形態に係る爪を矯正するデバイスを示す斜視図である。
【図２】第１の実施形態に係る爪を矯正するデバイスを示す正面図である。
【図３】第１の実施形態に係る爪を矯正するデバイスを示す側面図である。
【図４】第１の実施形態に係る爪を矯正するデバイスを示す上面図である。
【図５】第２の実施形態に係る爪を矯正するデバイスを示す図である。
【図６】爪甲の前方を持ち上げるヘラの実施形態例を示す図である。
【図７】屈曲ヘラの実施形態例を示す図である。
【図８】フックの実施形態例を示す図である。
【図９】爪を押圧するレバーの実施形態例を示す図である。
【図１０】第２の実施形態に係るデバイスによる矯正中の爪および足の指を示す図である。
【図１１】第３の実施形態に係る陥入爪を矯正するデバイスを示す図である。
【発明を実施するための形態】
【００２９】
＜発明の第１の実施形態＞
図１、図２、図３および図４に図示している第１の実施形態に係る陥入爪を矯正するデバイスは、第１の支持部１０２を有するベース１０１を備え、第１の支持部１０２には、足の指を押圧する２つのネジ１１１、１１２と、摺動可能且つ旋回可能な２つのフック１３１、１３２とが設けられている。フック１３１、１３２は、フック固定ネジ１３５、１３６によって押圧される球体形状の結合部１３３、１３４に配置され固定されている。足の指を押圧するネジ１１１、１１２およびフック１３１、１３２は、支持部１０２に設けられている、爪を押圧するレバー１２１に対して対称的に配置されている。爪を押圧するレバー１２１は、支持部１０２の軸上に旋回可能に配置されており、押圧力は、爪に対する押圧を制御するネジ１２３によって制御される。さらに、爪を押圧するネジ１１１、１１２と、足の指との間には、弾性パッド１１４が配置されている。ベース１０１はさらに、ヘラ用の第２の支持部１０３を備える。第２の支持部１０３は、第１の支持部１０２の反対側に設けられる。第２の支持部１０３は、取り付けネジ１０５によって組み合わせられる２つの部材を有し、両者間にヘラ１４１が摺動可能且つ旋回可能に設けられている。ヘラ１４１は、ヘラ固定ネジ１４５によって締め付けられている球体形状の結合部１４３に固定されている。ヘラ１４５のハンドル１４６は、粗い面を持つ。
【００３０】
爪甲の側方を持ち上げるためのフック１３１、１３２に代えて、側爪郭の皮膚から離すように屈曲する屈曲ヘラを利用することもできる。
【００３１】
フック１３１、１３２は、爪の側方エッジを持ち上げることを可能とするが、これは内巻きの爪を矯正する場合に特に有用である。ヘラ１４１によって、爪の前方エッジを持ち上げることが可能になるか、または、不適切に切られた爪のために延長部分を形成することが可能となり、これは、爪郭近位部に陥入している爪を矯正する際に特に効果的である。
【００３２】
＜本発明の第２の実施形態＞
図５に示す第２の実施形態に係る陥入爪を矯正するデバイスは、第１の支持部２０２を有するベース２０１を備える。第１の支持部２０２には、足の指を押圧する２つのネジ２１１、２１２と、摺動可能且つ旋回可能な２つのフック２３１、２３２とが設けられている。足の指を押圧するネジ２１１、２１２およびフック２３１、２３２は、爪を押圧するレバー２２１に対して対称的に配置されており、レバー２２１もまた支持部２０２に設けられている。ヘラ用の第２の支持部２０３は、第１の支持部２０２の反対側に設けられている。第２の支持部２０３には、ヘラ固定ネジ２４５、２４６によって締め付けられる球体形状の結合部２４３、２４４に摺動可能且つ旋回可能に設けられている爪を持ち上げるヘラ２４１、２４２が設けられている。押圧レバー２２１は、支持部２０２において、レバー押圧ネジ２３３によって締め付けられる球体形状の結合部２２２に設けられている。ソフトパッド、例えば、直径が約２ｃｍのフェルト製の円形のパッドを、足の指に対して加えられる点状の圧力を制限するべく、足の指を押圧するネジ２１１、２１２と、足の指との間に挿入することができる。
【００３３】
ベース２０１に沿って、足を置くためのプレート２０４の溝２０６と嵌合する突起２０５が設けられている。ベースは、プレート２０４に対してベース２０１を固定するための部材を備える。プレート２０４は、サイズが約２０×３０ｃｍであり、硬質プラスチック製である。
【００３４】
爪甲の側部を持ち上げるためのフック２３１、２３２に代えて、側爪郭の皮膚から離すように屈曲する屈曲ヘラを用いることもできる。
【００３５】
爪を操作するツールは、交換可能であり、矯正している爪の特性に応じて選択することができる。これらのツールが交換可能なことによってさらに、矯正する爪毎に、部材を殺菌することもできる。
【００３６】
爪を操作するツールの実施形態例を図６から図９に示す。
【００３７】
爪の前方エッジを持ち上げるためのヘラは、図６に示すような形状４０１から４０３を持つとしてよい。図示しているヘラは、両端において端部で終端しているハンドルを持つとしてよい。一方の端部は平坦であるとしてよい。他方の端部は、さまざまな円弧状の切欠き形状を持つとしてよく、矯正している爪、陥入の深さ、および、陥入の形状に応じて選択される。
【００３８】
屈曲ヘラは、図７に示すような形状４１１から４１２を持つとしてよい。図示した屈曲ヘラは、一方の端部が平坦で、他方の端部が湾曲しているハンドルを持つとしてよい。これらのヘラは、側爪郭で炎症が発生している場合に利用される。そして、屈曲ヘラは、フックの代わりに、球体形状の結合部に設けられている。屈曲ヘラは、爪の側方エッジを露出させるべく、爪から外向きに離すように皮膚を屈曲するべく用いられる。そして、爪の前方エッジの欠けている部分の形状に応じて、硬化性材料で爪を再構成するべく爪の前方エッジを持ち上げるためのヘラを選択する。
【００３９】
爪のエッジを持ち上げるためのフックは、図８に示すような形状４２１を持つとしてよい。図示しているフックは、両端において傾斜が異なるフックで終端しているハンドルを持つとしてよい。
【００４０】
爪の中央部分をベースに向かって押圧するレバーは、図９に示すような形状４３１を持つとしてよい。つまり、両端部の傾斜が異なるハンドルを持つとしてよい。
【００４１】
＜本発明の第３の実施形態＞
第３の実施形態に係る陥入爪を矯正するデバイスを図１１に示す。当該デバイスは、平坦なベース３０１を有する直方体形状のフレームを備える。当該フレームは、ベース３０１に取り付けられている４つの垂直棒３５１で構成されている支持部３０２を形成している。垂直棒３５１は、上部で２つの水平棒３５４および２つの上部ガイド３５２に結合されている。側方ガイド３５３は、２つの隣接する垂直棒３５１に取り付けられている。中央上部ガイド３５５は、２つの上部水平棒３５４に設けられている。ガイド３５３、３５２および３５５は、内部に開口３６０が形成されている。支持部３０２において、上部中央ガイド３５５の開口３６０には、足指固定手段３１１および爪押圧手段３２１がベースに向かって設けられている。上部中央ガイド３５５の開口３６０には、爪の前方エッジを持ち上げるための摺動可能且つ旋回可能なヘラ３４１が配置されている。上部ガイド３５２には、爪の側方エッジを持ち上げるためのフック３３１が摺動可能および旋回可能に設けられている。さらに、側方ガイド３５３には、足の指を固定するための手段３１１がさらに２つ取り付けられている。足指固定手段３１１、ヘラ３４１およびフック３３１の位置は、固定ピン３７０によって固定する。持ち上げるためのヘラ３４１のハンドルに沿って、開口３６０が一列に設けられている。
【００４２】
＜本発明の全ての実施形態に共通する特徴＞
全ての実施形態は以下のような共通の特徴を持つ。
ベース１０１、２０１、３０１に対して足の指を固定するための手段１１１、１１２、２１１、２１２、３１１
レバー４３１等、ベース１０１、２０１、３０１に向かって爪の中央部分を押圧する手段１２１、２２１、３２１
フック４２１または屈曲ヘラ４１１、４１２の形状を持つ、爪の側方エッジにおいて操作する摺動旋回可能手段１３１、１３２、２３１、２３２、３３１
爪の前方を持ち上げるべくヘラ４０１−４０３の形状を持つ、爪の前方エッジにおいて操作する摺動旋回可能手段１４１、２４１、２４２、３４１
【００４３】
＜陥入爪を矯正する方法＞
陥入爪の矯正は以下のように実施される。足の指（または手の指）をデバイス内に置いた後、足指押圧手段１１１、１１２、２１１、２１２、３１１によって指を固定し、手段１２１、２２１、３２１によってベースに向かって爪を押圧する。次に、爪の側方エッジを操作する。例えば、陥入爪の側方エッジをフック１３１、１３２、２３１、２３２、３３１によって持ち上げる。これに代えて、炎症の場合には、爪の側方エッジに沿った皮膚を、屈曲ヘラによって離すように屈曲させる。次に、１つのヘラ１４１、３４１または２つのヘラ２４１、２４２を用いて、爪を適切な形状に整形するべく、爪の前方を持ち上げる。続いて、爪を硬化性材料でコーティングして、硬化性材料を硬化させる。硬化性材料としては、爪への接着性が非常に高く硬度が高いことから、アクリルを利用するのが好ましい。アクリルは、厚みが最高１ｍｍの層として塗布されることが好ましい。他の硬化性材料、例えば、硬化性ゲル等を用いることもできる。本発明の第２の実施形態に係るデバイスにおいてフックおよびヘラで整形しアクリルでコーティングした爪を、図１０に概略的に示す。続いて、爪を研削によって処理する。硬化性材料の層は、爪を正しい形状に維持し、陥入することなく成長させる。爪が成長するにつれて、硬化性材料の層と共に爪の前方部分をファイリングすることができる。爪の終端部分は、硬化した硬化性材料の層が存在せず、前方に成長する前方部分によって適切に整形される。爪全体が成長した後で爪を前方で適切に短くすると、多くの場合、爪は正しい形状を持つようになる。
【００４４】
炎症が発生している場合、最初に屈曲ヘラを用いて爪を矯正するべきである。炎症が治まれば、持ち上げフックを用いて再度矯正を行って、内巻になった爪を矯正するものとする。
【図１】
2014531950.tif 000003
【図２】
2014531950.tif 000004
【図３】
2014531950.tif 000005
【図４】
2014531950.tif 000006
【図５】
2014531950.tif 000007
【図６】
2014531950.tif 000008
【図７】
2014531950.tif 000009
【図８】
2014531950.tif 000010
【図９】
2014531950.tif 000011
【図１０】
2014531950.tif 000012
【図１１】
2014531950.tif 000013
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
足の指の爪の陥入爪を矯正するデバイスであって、
ベースを備え、
前記ベース上には、
前記ベースに対して前記足の指を固定する手段と、
前記爪の中央部分を前記ベースに向かって押圧する手段と、
前記爪の側方エッジにおいて操作する摺動旋回可能手段と、
前記爪の前方部分において操作する摺動旋回可能手段と
が設けられているデバイス。
【請求項２】
前記ベース上に設けられている２つの対向する支持部を備え、
前記２つの対向する支持部のうち第１の支持部には、前記足の指を押圧する２つのネジ、および、前記爪の前記側方エッジにおいて操作する２つの摺動旋回可能ツールが設けられており、
前記２つのネジおよび前記２つの摺動旋回可能ツールは、前記爪を押圧するレバーに対して対称になるように配置されており、
前記２つの対向する支持部のうち第２の支持部は、前記爪の前方部分において操作する旋回摺動可能ツールを有する請求項１に記載のデバイス。
【請求項３】
前記爪を押圧するための前記レバーは、前記第１の支持部に旋回可能に設けられており、前記押圧する力は、前記爪への前記押圧を制御するネジによって調整可能である請求項２に記載のデバイス。
【請求項４】
前記爪の前記側方エッジにおいて操作する前記摺動旋回可能手段は、固定ネジによって締め付け可能な球体形状の結合部に保持されている請求項２または３に記載のデバイス。
【請求項５】
前記爪の前記前方部分において操作する前記摺動旋回可能手段は、固定ネジによって締め付け可能な球体形状の結合部に保持されている請求項１から４の何れか１項に記載のデバイス。
【請求項６】
前記第２の支持部は、ネジによって結合される２つの部品を有する請求項２から４の何れか１項に記載のデバイス。
【請求項７】
前記足の指を固定する手段と、前記足の指との間には、弾性パッドが配置されている請求項１から６の何れか１項に記載のデバイス。
【請求項８】
前記第２の支持部には、固定ネジによって締め付け可能な球体形状の結合部に摺動可能且つ旋回可能に、前記爪の前方を持ち上げるための２つのヘラが配置されている請求項２から４の何れか１項に記載のデバイス。
【請求項９】
前記爪の前記中央部分を前記ベースに向かって押圧する前記手段は、前記第１の支持部において、ネジによって固定される球体形状の結合部に設けられているレバーの形状を持つ請求項２から４の何れか１項に記載のデバイス。
【請求項１０】
前記ベースは、足の支持部を形成するプレートに設けられている請求項１から９の何れか１項に記載のデバイス。
【請求項１１】
前記ベースに沿って、前記プレートの溝に配置される突起が形成されている請求項１０に記載のデバイス。
【請求項１２】
前記足の指を固定する前記手段は、前記足の指を前記ベースに向かって押圧するネジの形状を持つ請求項１から１１の何れか１項に記載のデバイス。
【請求項１３】
前記爪の前記側方エッジにおいて操作する前記摺動旋回可能手段は、前記爪の前記側方エッジを持ち上げるフックの形状を持つ
請求項１から１２の何れか１項に記載のデバイス。
【請求項１４】
前記爪の前記側方エッジにおいて操作する前記摺動旋回可能手段は、側爪郭の皮膚から離れるように屈曲させる屈曲ヘラの形状を持つ請求項１から１３の何れか１項に記載のデバイス。
【請求項１５】
前記爪の前記前方部分において操作する前記摺動旋回可能手段は、前記爪の前方エッジを持ち上げるヘラの形状を持つ請求項１から１４の何れか１項に記載のデバイス。
【請求項１６】
前記爪の前記中央部分を前記ベースに向かって押圧する前記手段は、レバーの形状を持つ請求項１から１５の何れか１項に記載のデバイス。
【手続補正２】
【補正対象書類名】明細書
【補正対象項目名】００４４
【補正方法】変更
【補正の内容】
【００４４】
炎症が発生している場合、最初に屈曲ヘラを用いて爪を矯正するべきである。炎症が治まれば、持ち上げフックを用いて再度矯正を行って、内巻になった爪を矯正するものとする。
［項目１］
足の指の爪の陥入爪を矯正するデバイスであって、
ベースを備え、
前記ベース上には、
前記ベースに対して前記足の指を固定する手段と、
前記爪の中央部分を前記ベースに向かって押圧する手段と、
前記爪の側方エッジにおいて操作する摺動旋回可能手段と、
前記爪の前方部分において操作する摺動旋回可能手段と
が設けられているデバイス。
［項目２］
前記ベース上に設けられている２つの対向する支持部を備え、
前記２つの対向する支持部のうち第１の支持部には、前記足の指を押圧する２つのネジ、および、前記爪の前記側方エッジにおいて操作する２つの摺動旋回可能ツールが設けられており、
前記２つのネジおよび前記２つの摺動旋回可能ツールは、前記爪を押圧するレバーに対して対称になるように配置されており、
前記２つの対向する支持部のうち第２の支持部は、前記爪の前方部分において操作する旋回摺動可能ツールを有する請求項１に記載のデバイス。
［項目３］
前記爪を押圧するための前記レバーは、前記第１の支持部に旋回可能に設けられており、前記押圧する力は、前記爪への前記押圧を制御するネジによって調整可能である請求項２に記載のデバイス。
［項目４］
前記爪の前記側方エッジにおいて操作する前記摺動旋回可能手段は、固定ネジによって締め付け可能な球体形状の結合部に保持されている請求項２または３に記載のデバイス。
［項目５］
前記爪の前記前方部分において操作する前記摺動旋回可能手段は、固定ネジによって締め付け可能な球体形状の結合部に保持されている請求項１から４の何れか１項に記載のデバイス。
［項目６］
前記第２の支持部は、ネジによって結合される２つの部品を有する請求項２から４の何れか１項に記載のデバイス。
［項目７］
前記足の指を固定する手段と、前記足の指との間には、弾性パッドが配置されている請求項１から６の何れか１項に記載のデバイス。
［項目８］
前記第２の支持部には、固定ネジによって締め付け可能な球体形状の結合部に摺動可能且つ旋回可能に、前記爪の前方を持ち上げるための２つのヘラが配置されている請求項２から４の何れか１項に記載のデバイス。
［項目９］
前記爪の前記中央部分を前記ベースに向かって押圧する前記手段は、前記第１の支持部において、ネジによって固定される球体形状の結合部に設けられているレバーの形状を持つ請求項２から４の何れか１項に記載のデバイス。
［項目１０］
前記ベースは、足の支持部を形成するプレートに設けられている請求項１から９の何れか１項に記載のデバイス。
［項目１１］
前記ベースに沿って、前記プレートの溝に配置される突起が形成されている請求項１０に記載のデバイス。
［項目１２］
前記足の指を固定する前記手段は、前記足の指を前記ベースに向かって押圧するネジの形状を持つ請求項１から１１の何れか１項に記載のデバイス。
［項目１３］
前記爪の前記側方エッジにおいて操作する前記摺動旋回可能手段は、前記爪の前記側方エッジを持ち上げるフックの形状を持つ
請求項１から１２の何れか１項に記載のデバイス。
［項目１４］
前記爪の前記側方エッジにおいて操作する前記摺動旋回可能手段は、側爪郭の皮膚から離れるように屈曲させる屈曲ヘラの形状を持つ請求項１から１３の何れか１項に記載のデバイス。
［項目１５］
前記爪の前記前方部分において操作する前記摺動旋回可能手段は、前記爪の前方エッジを持ち上げるヘラの形状を持つ請求項１から１４の何れか１項に記載のデバイス。
［項目１６］
前記爪の前記中央部分を前記ベースに向かって押圧する前記手段は、レバーの形状を持つ請求項１から１５の何れか１項に記載のデバイス。
［項目１７］
陥入爪を矯正するデバイスを用いて足の指の爪の陥入爪を美容矯正する方法であって、
前記デバイスは、
ベースに対して前記足の指を固定する手段と、
前記ベースに向かって前記爪の中央部分を押圧する手段と、
前記爪の側方エッジにおいて操作する摺動旋回可能手段と、
前記爪の前方部分において操作する摺動旋回可能手段と
を備え、
前記足の指を固定し、
前記爪の前記中央部分を前記ベースに向かって押圧し、
前記爪および爪郭の皮膚の少なくとも一方を所望の形状に整形し、
前記爪を硬化性材料の層でコーティングし、
前記硬化性材料を硬化させ、
前記足の指を前記デバイスから取り外す、方法。
【国際調査報告】
2014531950.tif 000014
2014531950.tif 000015
2014531950.tif 000016
2014531950.tif 000017